(57)【要約】【課題】水がホースを伝って水栓装置内部に侵入するのを低減する水栓装置を提供する。【解決手段】水の量を調節するレバーと、レバーを支持する支持管および支持管と分岐した枝管を有するスパウトと、スパウト内に取り付けられ、ホースが移動可能に挿通されるガイド孔を内部に有するホルダと、ホルダと枝管との間を封止するシール部材と、を備え、枝管の鉛直方向に対する角度が、４５度より大きく９０度より小さく、スパウトは、下面に水抜き孔を有し、ホルダは、ホルダ内に溜まった水を抜く切り欠きを有し、枝管のホース引き抜き側から、シール部材、切り欠き、水抜き孔の順に配置されている、水栓装置である。【選択図】図２
2019100049.tif 000002
【特許請求の範囲】
【請求項１】
水の量を調節するレバーと、
前記レバーを支持する支持管および前記支持管と分岐した枝管を有するスパウトと、
前記枝管内に取り付けられ、ホースが移動可能に挿通されるガイド孔を内部に有するホルダと、
前記ホルダと前記枝管との間を封止するシール部材と、を備え、
前記枝管の鉛直方向に対する角度が、４５度より大きく９０度より小さく、
前記枝管は、下面に水抜き孔を有し、
前記ホルダは、前記ホルダ内に溜まった水を抜く切り欠きを有し、
前記枝管の前記ホース引き抜き側から、前記シール部材、前記切り欠き、前記水抜き孔の順に配置されている、
水栓装置。
【請求項２】
前記切り欠きは前記ホルダの下側に設けられている、
請求項１に記載の水栓装置。
【請求項３】
前記枝管に形成された固定孔に嵌まる突起部を前記ホルダは備え、
前記突起部の両側に前記切り欠きが形成されている、
請求項２に記載の水栓装置。
【請求項４】
前記ホルダは、少なくとも２つの成形品が組み合わされて構成される
請求項１から３のいずれか１つに記載の水栓装置。
【請求項５】
前記ガイド孔は、内径の異なる大径ガイド孔と小径ガイド孔とを備える、
請求項１から４のいずれか１つに記載の水栓装置。
【請求項６】
前記ガイド孔は、前記ホースの移動方向に交差する複数の前記小径ガイド孔を備え、
前記ホルダは、隣り合う小径ガイド孔間に前記小径ガイド孔よりも内径の大きい中間部を備え、
少なくとも１つの小径ガイド孔は、前記切り欠きよりも前記ホースの引き抜き側に配置されている、
請求項５に記載の水栓装置。
【発明の詳細な説明】
【技術分野】
【０００１】
本開示は、水栓装置に関し、特にスパウトに関する。
【背景技術】
【０００２】
従来、台所や洗面所で使用される水栓装置として、引き出し可能なホースに接続された吐水ヘッドを有する水栓装置がある。吐水ヘッドは水栓装置のスパウトから分離可能である。吐水ヘッドから流れる水がホースを伝ってホースとスパウトとの間に浸入し、さらにホースを伝って水栓装置内部に入る場合がある。
【０００３】
そこで、特許文献１の洗面化粧台は、キャビネット内において水栓装置の下方のホースの折り返し部を収容する水受けタンクが設けられている。吐水ヘッドからホースを伝って落下する水は、水受けタンクに回収される。
【先行技術文献】
【特許文献】
【０００４】
【特許文献１】特開２００６−６３５１８号公報
【発明の概要】
【発明が解決しようとする課題】
【０００５】
しかしながら、キャビネット内に水受けタンクを配置することでキャビネット内のスペースが制限される。そこで、水受けタンクを撤去するためには、ホースを伝って落下する水を低減する必要がある。
【０００６】
従って、本開示の目的は、前記課題を解決することにあって、水がホースを伝って水栓装置内部に浸入するのを低減する水栓装置を提供することにある。
【課題を解決するための手段】
【０００７】
前記目的を達成するために、本開示の一態様に係る水栓装置は、
水の量を調節するレバーと、
前記レバーを支持する支持管および前記支持管と分岐した枝管を有するスパウトと、
前記枝管内に取り付けられ、ホースが移動可能に挿通されるガイド孔を内部に有するホルダと、
前記ホルダと前記枝管との間を封止するシール部材と、を備え、
前記枝管の鉛直方向に対する角度が、４５度より大きく９０度より小さく、
前記スパウトは、下面に水抜き孔を有し、
前記ホルダは、前記ホルダ内に溜まった水を抜く切り欠きを有し、
前記枝管の前記ホース引き抜き側から、前記シール部材、前記切り欠き、前記水抜き孔の順に配置されている。
【発明の効果】
【０００８】
水がホースを伝って水栓装置内部に侵入するのを防止する水栓装置を提供することができる。
【図面の簡単な説明】
【０００９】
【図１】実施の形態に係る水栓装置の全体側面図である。
【図２】図１の水栓において吐水ヘッドを省略した縦断面図である。
【図３】ホースの先端部の拡大図である。
【図４】スパウトの部分斜視図である。
【図５】スパウトの下面図である。
【図６】ホルダの分解斜視図である。
【図７】上部ホルダの内側斜視図である。
【図８】下部ホルダの内側斜視図である。
【図９】下部ホルダの外側斜視図である
【図１０】ホルダとスパウトとの接続部分の拡大断面図である。
【図１１】実施の形態における水の流れを示す説明図である。
【図１２】従来の水栓装置における弱い水の流れを示す説明図である。
【図１３】従来の水栓装置における強い水の流れを示す説明図である。
【発明を実施するための形態】
【００１０】
本開示の一態様によれば、水の量を調節するレバーと、前記レバーを支持する支持管および前記支持管と分岐した枝管を有するスパウトと、前記枝管内に取り付けられ、ホースが移動可能に挿通されるガイド孔を内部に有するホルダと、前記ホルダと前記枝管との間を封止するシール部材と、を備え、前記枝管の鉛直方向に対する角度が、４５度より大きく９０度より小さく、前記スパウトは、下面に水抜き孔を有し、前記ホルダは、前記ホルダ内に溜まった水を抜く切り欠きを有し、前記枝管の前記ホース引き抜き側から、前記シール部材、前記切り欠き、前記水抜き孔の順に配置されている、水栓装置である。
【００１１】
また、前記切り欠きは前記ホルダの下側に設けられていてもよい。
【００１２】
また、前記枝管に形成された固定孔に嵌まる突起部を前記ホルダは備え、前記突起部の両側に切り欠きが形成されてもよい。
【００１３】
また、前記ホルダは、少なくとも２つの成形品が組み合わされて構成されてもよい。
【００１４】
また、前記ガイド孔は、内径の異なる大径ガイド孔と小径ガイド孔とを備えてもよい。
【００１５】
また、前記ガイド孔は、前記ホースの移動方向に交差する複数の前記小径ガイド孔を備え、前記ホルダは、隣り合う小径ガイド孔間に前記小径ガイド孔よりも内径の大きい中間部を備え、少なくとも１つの小径ガイド孔は、前記切り欠きよりも前記ホース引き抜き側に配置されていてもよい。
【００１６】
まず、図１２を参照して、従来の水栓装置の水Ｗの流れについて、説明する。図１２は、従来の水栓装置における弱い水Ｗの流れを示す説明図である。従来の水栓装置１０１において、スパウト１０３の枝管１０５内を挿通するホース１０７は、ホルダ１０９により案内される。ホルダ１０９のホース挿入側端部において、ホルダ１０９と枝管１０５との間にシール部材１１１が配置されている。枝管１０５において、シール部材１１１のさらにホース挿入側には、水抜き孔１１３が空けられている。
【００１７】
水Ｗの流れが弱い場合、ホース１０７を伝って浸入してきた水Ｗは、自重によりホース１０７の下方のホルダ１０９の内面に落下する。落下した水Ｗは、ホルダ１０９を伝って水抜き孔１１３からスパウト１０３の外部へ流れ出る。しかしながら、水Ｗの流れが強い場合、水抜き孔１１３から流れ出ない場合がある。この状態を図１３を参照して説明する。
【００１８】
図１３は、従来の水栓装置における強い水Ｗの流れを示す説明図である。ホルダ１０９の基端側端部の近傍に枝管１０５の水抜き孔１１３が配置されているので、ホース１０７を伝って流れる水Ｗは、自重により落下するよりも、その強い流れにより、水抜き孔１１３を乗り越えてスパウト１０３の基部にまで浸入する。このように、ホース１０７を伝って浸入する水Ｗの流れが強い場合、スパウト１０３に空けられた水抜き孔１１３から流れ出ずに、そのままホース１０７を伝って、水栓装置１０１の中を通って、キャビネットまで流れる場合がある。この結果、キャビネット内の水受けタンクを撤去することができなかった。
【００１９】
（実施の形態）
以下に、本開示の実施の形態に係る水栓装置について説明する。図１は、本開示の実施の形態に係る水栓装置の全体側面図である。図２は、図１の水栓において吐水ヘッドを省略した縦断面図である。
【００２０】
図１および図２に示すように、本開示の実施の形態に係る水栓装置１は、シングルレバー水栓である。水栓装置１は、水と湯の混合比率と水と湯の混合水の水量を調節するレバー３と、混合水が内部を通るホース５と、ホース５の先端に接続された吐水ヘッド７と、レバー３を支持しホース５が内部に挿通されるスパウト９と、を備える。水栓装置１は、さらに、設置台に立設される基部１１と、スパウト９内に取り付けられ、ホース５を案内するホルダ１３と、を備える。吐水ヘッド７はスパウト９に着脱可能に取り付けられる。
【００２１】
スパウト９は、基部１１と接続される下部から上方に向けて２つの管に分岐しており、レバー３を支持する支持管９Ａと、ホース５が内部を通る枝管９Ｂとを備える。枝管９Ｂの鉛直方向に対する角度θは、４５度より大きく９０度より小さい。したがって、水栓装置１の枝管９Ｂは、浴室に使われるシャワーのスパウトよりも起立している角度が緩やかである。枝管９Ｂの先端開口９Ｂａには、ホルダ１３が挿入されて固定される。スパウト９は、金属製または樹脂製であるが、例えば、アクリル製であると、洗浄が容易になる。
【００２２】
ホルダ１３は、例えば、ホース５の摺動方向に沿って２つに分割された上部ホルダ２１と下部ホルダ２３との成形部品から構成される。また、ホルダ１３は内部にホース５が移動可能に挿通されるガイド孔２５を有し、略円筒形状を有する。ホルダ１３は樹脂製であり、例えば、ポリアセタール（ＰＯＭ）などの耐摩耗性や摺動性が高い材料で成形されている。ガイド孔２５は、内径の大きさが異なる大径ガイド孔２７と小径ガイド孔２９とを有する。ホルダ１３において、大径ガイド孔２７は、小径ガイド孔２９よりもホース５の引き出し側、すなわち先端側に形成されている。
【００２３】
次に、図３を参照する。図３は、ホース５の先端部の拡大図である。ホース５の先端には、吐水ヘッド７に連結されるジョイント部１５が接続されている。このジョイント部１５には、取り付け金具１７が固定されている。取り付け金具１７は、ジョイント部１５およびホース５よりも径方向外方に突出している。ジョイント部１５の外径Ｒ１はホース５の外径Ｒ２よりも大きい。吐水ヘッド７がスパウト９に装着されている状態では、外径Ｒ１を有するジョイント部１５のホース５側の一部がホルダ１３の大径ガイド孔２７内に収納され、取り付け金具１７の下面がホルダ１３の台座１９に当接する。これにより、ホース５がそれ以上に水栓装置１内に入るのを制限する。
【００２４】
次に、図４および図５を参照する。図４は、スパウト９の部分斜視図である。図５は、スパウト９の下面図である。スパウト９の枝管９Ｂの下面には、下部ホルダ２３の突起部２３Ｃが嵌入する孔９Ｂｂと、下部ホルダ２３の切り欠き２３Ｄ（図８参照）からの水をスパウト９の外部へ出す水抜き孔９Ｂｃとを備える。孔９Ｂｂは水抜き孔９Ｂｃよりも枝管９Ｂの先端側に配置されている。枝管９Ｂの周方向における水抜き孔９Ｂｃの幅は、枝管９Ｂの周方向における孔９Ｂｂの幅よりも大きい。また、スパウト９の枝管９Ｂの先端開口９Ｂａに、開口に沿って例えば２箇所に、下部ホルダ２３の凸部２３Ｅ（図９参照）が嵌入される凹部９Ｂｄが形成されている。
【００２５】
次に、図６を参照する。図６は、ホルダ１３の分解斜視図である。ホルダ１３は、ホース５の移動方向に沿って分割される。上部ホルダ２１および下部ホルダ２３は、内側の長手方向に空洞が形成された略半円筒形状を有する。上部ホルダ２１は、例えば、４本のピン２１Ａを有し、これらのピン２１Ａが下部ホルダ２３に形成された４つの孔２４（図８参照）にそれぞれ挿入されることで上部ホルダ２１と下部ホルダ２３とが一体化する。４つの孔２４の中で下部ホルダ２３の先端側とは反対の基端側に形成された２つの孔２４は、長穴形状である。これにより、上部ホルダ２１と下部ホルダ２３との結合を容易にしている。
【００２６】
次に、図７から図９を参照する。図７は、上部ホルダ２１の内側斜視図である。図８は、下部ホルダ２３の内側斜視図である。図９は、下部ホルダの外側斜視図である。上部ホルダ２１には先端側開口の内周に沿って半円の長さの第１上リブ２７Ａが、下部ホルダ２３には先端側開口の内周に沿って半円の長さの第１下リブ２７Ｂがそれぞれ形成されている。第１上リブ２７Ａと第１下リブ２７Ｂとが組み合わさってホルダ１３の大径ガイド孔２７が構成される。
【００２７】
また、上部ホルダ２１には、第１上リブ２７Ａよりも基端側に、内周に沿って半円の長さの第２上リブ２９Ａが、下部ホルダ２３には第１下リブ２７Ｂよりも基端側に、内周に沿って半円の長さの第２下リブ２９Ｂがそれぞれ形成されており、第２上リブ２９Ａと第２下リブ２９Ｂとが組み合わさってホルダ１３の小径ガイド孔２９が構成される。第１上リブ２７Ａと第１下リブ２７Ｂとは同じ大きさの内径Ｒ３を有している。第２上リブ２９Ａと第２下リブ２９Ｂとは同じ大きさの内径Ｒ４を有している。第１上リブ２７Ａの内径Ｒ３よりも、第２上リブ２９Ａの内径Ｒ４の方が小さい。また、第１下リブ２７Ｂの内径Ｒ３よりも、第２下リブ２９Ｂの内径Ｒ４の方が小さい。
【００２８】
また、ホルダ１３は、小径ガイド孔２９を複数個、例えば、２個有しており、隣り合う小径ガイド孔２９間には中間部３１を有する。中間部３１の内径は、小径ガイド孔２９の内径よりも大きい。なお、ホルダ１３は、小径ガイド孔２９を、２個に限らず、３個以上有していてもよい。
【００２９】
ホルダ１３の外周面上には、周方向に沿って形成された溝３３を有する。上部ホルダ２１と下部ホルダ２３には、それぞれの外周面の周方向に沿って形成された溝３３Ａ、３３Ｂが形成されており、これらが組み合わさってホルダ１３の溝３３が構成される。溝３３には、ホルダ１３と枝管９Ｂとの間を封止するシール部材３５が嵌め込まれている。シール部材３５は、例えば、Ｏリングである。
【００３０】
溝３３の径方向内側には小径ガイド孔２９が形成されている。つまり、上部ホルダ２１の溝３３Ａの径方向内側には第２上リブ２９Ａが形成され、下部ホルダ２３の溝３３Ｂの径方向内側には第２下リブ２９Ｂが形成されている。したがって、Ｏリングによりホルダ１３の溝３３が締め付けられると、小径ガイド孔２９も締め付けられるので、ホース５とのクリアランスを減らすことができる。
【００３１】
ホルダ１３の溝３３と大径ガイド孔２７との間には、ホルダ１３の外周面が径方向外方に張り出した台座１９が形成されている。つまり、溝３３Ａと第１上リブ２７Ａとの間の上部ホルダ２１の外周面から径方向外側に張り出した上台座１９Ａが形成されている。また、溝３３Ｂと第１下リブ２７Ｂとの間の下部ホルダ２３の外周面から張り出した下台座１９Ｂが形成されている。上台座１９Ａと下台座１９Ｂとで環状の台座１９が構成される。
【００３２】
上部ホルダ２１は、第２上リブ２９Ａよりホース５の挿入方向側（基端側）に、第２上リブ２９Ａとは別に、上部ホルダ２１の内周方向に沿って形成された第３上リブ３７を有する。下部ホルダ２３には、第３上リブ３７と組み合わされるリブが形成されていない。したがって、ホルダ１３において、ホース５の横断面で上半分の半円部の上方にリブが形成されている。これにより、ホース５の上部を伝って流れる水が第３上リブ３７に当たり、第３上リブ３７沿いに流れることで、切り欠き２３Ｄへ案内される。
【００３３】
下部ホルダ２３は、第１下リブ２７Ｂと溝３３Ｂとの間の下面に形成された水抜き孔２３Ａを有する。下部ホルダ２３は、さらに、溝３３Ｂから下部ホルダ２３の周方向と交差する方向に延びる舌片２３Ｂと、舌片２３Ｂの基端側端部に形成された突起部２３Ｃと、下部ホルダ２３の周方向と交差する方向に形成された切り欠き２３Ｄと、下部ホルダ２３の外周に沿って、例えば２カ所に形成された凸部２３Ｅを備える。
【００３４】
舌片２３Ｂは下部が凹んだアーチ形状を有する。この形状により、舌片２３Ｂと枝管９Ｂの内周面との間を水が流れやすくなる。切り欠き２３Ｄは、ホース５の移動方向に沿って、舌片２３Ｂおよび突起部２３Ｃの両側に形成されている。また、切り欠き２３Ｄは下部ホルダ２３の下側に設けられ、切り欠き２３Ｄの反対側のホルダ１３の上側は、スパウト９に当接する。凸部２３Ｅは、下部ホルダ２３において溝３３Ａよりもホース５の引き出し側の外周縁部に形成されている。
【００３５】
次に、図１０を参照する。図１０は、基端側から見たホルダと枝管との接続部分の拡大横断面図である。下部ホルダ２３の凸部２３Ｅが、スパウト９の枝管９Ｂの凹部９Ｂｄに嵌め合うことで、スパウト９に対してホルダ１３が回転するのを防止する。このように、下部ホルダ２３の凸部２３Ｅと、スパウト９の枝管９Ｂの凹部９Ｂｄとで回り止め構造を構成している。
【００３６】
次に、図１１を参照して、実施の形態の水栓装置１でのホース５を伝って流れる水Ｗの流れを説明する。図１１は、実施の形態の水栓装置１における水Ｗの流れを示す説明図である。枝管９Ｂにおけるホース５の引き抜き側である先端側から、水抜き孔２３Ａ、シール部材３５、切り欠き２３Ｄ、水抜き孔９Ｂｃの順にそれぞれがホルダ１３に配置されている。ホース５をスパウト９に挿入する際に、ホルダ１３の大径ガイド孔２７によりホース５から除去された水は、水抜き孔２３Ａを通って落下するのでスパウト９内に浸入しない。
【００３７】
また、大径ガイド孔２７とホース５との間のクリアランス内をホース５を伝って流れる水Ｗは、小径ガイド孔２９に当たり、ホルダ１３の中間部３１に溜まる。ホルダ１３の中間部３１に溜まった水Ｗは、中間部３１から溢れると、下部ホルダ２３を伝って、切り欠き２３Ｄを通って水抜き孔９Ｂｃからスパウト９の外部へ流れる。また、水Ｗの流れが強い場合でも、小径ガイド孔２９を通過した水でホース５を伝って流れる水は、自重により切り欠き２３Ｄへ案内される。ホルダ１３に切り欠き２３Ｄが形成されているので、水が早めにスパウト９の内面に到達する。これにより、水Ｗが水抜き孔９Ｂｃから排出されるので、水抜き孔９Ｂｃを乗り越えてスパウト９の本体および基部１１に浸入しにくくなる。この結果、キャビネット内の水受けタンクを撤去することができる。また、小径ガイド孔２９を通過した水でホース５の上部を伝って流れる水も、小径ガイド孔２９よりも基端側の第３上リブ３７に当たり、第３上リブ３７沿いに自重により下方へ流れることで、切り欠き２３Ｄへ案内される。
【００３８】
以上より、本開示による水栓装置１は、水の量を調節するレバー３と、レバー３を支持する支持管９Ａおよび支持管９Ａと分岐した枝管９Ｂを有するスパウト９と、枝管９Ｂ内に取り付けられ、ホース５が移動可能に挿通されるガイド孔２５を内部に有するホルダ１３と、ホルダ１３と枝管９Ｂとの間を封止するシール部材３５と、を備え、枝管９Ｂの鉛直方向に対する角度が、４５度より大きく９０度より小さく、枝管９Ｂは、下面に水抜き孔９Ｂｃを有し、ホルダ１３は、ホルダ１３内に溜まった水を抜く切り欠き２３Ｄを有し、枝管９Ｂのホース５の引き抜き側から、シール部材３５、切り欠き２３Ｄ、水抜き孔９Ｂｃの順に配置されている。
【００３９】
ホース５が移動可能に挿通されるホルダ１３が取り付けられるスパウト９の枝管９Ｂの鉛直方向に対する角度が、４５度より大きく９０度より小さいので、浴室などに設置されているシャワーのスパウトに比べて、ホース５が挿通されているスパウトの部分の角度が起立していない。したがって、ホース５を伝って流れる水は、スパウト９の内部の奥まで浸入する前に、ホルダ１３の下面に落下しやすい。枝管９Ｂは下面に水抜き孔９Ｂｃを有し、ホルダ１３は切り欠き２３Ｄを有する。枝管９Ｂのホース５の引き抜き側から、シール部材３５、切り欠き２３Ｄ、水抜き孔９Ｂｃの順に配置されているので、ホース５を伝ってホルダ１３内に浸入した水は切り欠き２３Ｄにより早めに枝管９Ｂの内面に到達し、水抜き孔９Ｂｃから排出されるので、水抜き孔９Ｂｃを乗り越えて水栓装置１の内部の奥にまで浸入するのを低減することができる。
【００４０】
また、切り欠き２３Ｄはホルダ１３の下側に設けられている。切り欠き２３Ｄがホルダ１３の下側に設けられているので、自重によりホルダ１３内の下側を流れる水を切り欠き２３Ｄから枝管９Ｂの内面へと案内することができる。また、ホルダ１３の上側は枝管９Ｂに当接しているので、ホルダ１３の上側からの水の浸入を阻止することができる。
【００４１】
また、枝管９Ｂに形成された孔９Ｂｂに嵌まる突起部２３Ｃをホルダ１３は備え、突起部２３Ｃの両側に切り欠き２３Ｄが形成されている、突起部２３Ｃの両側に切り欠き２３Ｄが形成されているので、ホルダ１３の下側に流れてきた水を突起部２３Ｃに沿って切り欠き２３Ｄへ案内することができる。
【００４２】
また、ホルダ１３は、少なくとも２つの成形品である上部ホルダ２１と下部ホルダ２３とが組み合わされて構成される。ホース５が挿通されるガイド孔２５を有するホルダ１３が、少なくとも２つの成形品が組み合わされて構成されるので、一体品として成形されたものよりもガイド孔２５の形成が容易である。これにより、ガイド孔２５とホース５とのクリアランスを容易に小さくすることができる。この結果、ホース５を伝って流れる水をガイド孔２５によって止めることができ、水がホース５を伝って水栓装置１の内部に浸入するのを低減することができる。水栓装置１の内部に浸入する水の量を低減することができるので、水受けタンクをホース５の下方に配置しなくてもよい。
【００４３】
また、ガイド孔２５は、内径の異なる大径ガイド孔２７と小径ガイド孔２９とを備えてもよい。ガイド孔２５は、小径ガイド孔２９を備えることで、ホース５をガイドし、さらに、水の浸入を低減することができる。大径ガイド孔２７とホース５とのクリアランスは、小径ガイド孔２９とホース５とのクリアランスよりも大きい。したがって、ガイド孔２５は、大径ガイド孔２７を備えることで、ホース５をガイドし、さらに、ホース５とホルダ１３との摺動性を向上することができる。
【００４４】
また、ホルダ１３は、複数の小径ガイド孔２９を備え、さらに、隣り合う小径ガイド孔２９間に小径ガイド孔２９よりも内径の大きい中間部３１を備える。より詳細に説明すると、ガイド孔２５は、ホース５の移動方向に交差する複数の小径ガイド孔２９を備え、ホルダ１３は、隣り合う小径ガイド孔２９間に小径ガイド孔２９よりも内径の大きい中間部３１を備える。これにより、ホース５を伝って流れる水の勢いが小径ガイド孔２９により弱められ、さらにホース５を伝って流れる水が絞られて、中間部３１の空間に水が溜まる。したがって、水がホース５を伝って水栓装置１のより内部へ流れるのを低減することができる。
【００４５】
また、スパウト９は、アクリル製であり、スパウト９は、レバー３を支持する支持管９Ａと、支持管９Ａと分岐する枝管９Ｂとを有し、スパウト９は、枝管９Ｂの先端開口９Ｂａの周縁部に凹部９Ｂｄを有し、ホルダ１３は、外周縁部に凸部２３Ｅを有し、ホルダ１３の凸部２３Ｅがスパウト９の凹部９Ｂｄに嵌め合わされる。
【００４６】
スパウト９がアクリル製であるので、スパウト９の洗浄が容易である。また、スパウト９にレバー３が支持されているので、レバー３を洗浄する際に、水がホース５を伝ってスパウト９に流入しやすいが、ホルダ１３により水の浸入を低減することができる。スパウト９がアクリル製であるのでスパウト９の成形性が他の樹脂性のものよりも弱く、スパウト９とホルダ１３との取り付け構造が例えばネジ止め構造であるとスパウト９が破損するおそれがある。スパウト９の凹部９Ｂｄにホルダ１３の凸部２３Ｅを嵌め合う構造であるので、アクリル製のスパウト９を破損することなく、スパウト９とホルダ１３との回り止め構造を実現することができる。
【００４７】
また、小径ガイド孔２９は、ホルダ１３の内周方向に沿って形成されたリブである。これにより、小径ガイド孔２９はホース５の引き出し方向と直交するように形成され、ホース５を伝って流れる水を除去しやすくなる。また、小径ガイド孔２９がリブで形成されているので、小径ガイド孔２９とホース５とのクリアランスが小さくても小径ガイド孔２９とホース５との摺動性を向上させることができる。
【００４８】
また、ホルダ１３は、小径ガイド孔２９よりホース５の挿入方向側に、ホルダ１３の内周方向に沿って形成された別の第３上リブ３７を有する。これにより、小径ガイド孔２９を通過した水を別の第３上リブ３７により除去することができる。
【００４９】
本開示は、上記実施形態のものに限らず、次のように変形実施することができる。
【００５０】
上記実施形態において、ホルダ１３は、上部ホルダ２１と下部ホルダ２３との２分割された部品から構成されていたが、これに限られない。３分割以上に分割された部品から構成されてもよい。
【００５１】
なお、上記様々な実施の形態および変形例のうちの任意の実施の形態を適宜組み合わせることにより、それぞれの有する効果を奏するようにすることができる。
【００５２】
本開示は、添付図面を参照しながら好ましい実施の形態に関連して充分に記載されているが、この技術の熟練した人々にとっては種々の変形や修正は明白である。そのような変形や修正は、添付した特許請求の範囲による本開示の範囲から外れない限りにおいて、その中に含まれると理解されるべきである。また、各実施の形態における要素の組合せや順序の変化は、本開示の範囲及び思想を逸脱することなく実現し得るものである。
【符号の説明】
【００５３】
１      水栓装置
３      レバー
５      ホース
９      スパウト
９Ａ    支持管
９Ｂ    枝管
９Ｂｂ  孔
９Ｂｃ  水抜き孔
１３      ホルダ
２１      上部ホルダ
２３      下部ホルダ
２３Ｃ    突起部
２３Ｄ    切り欠き
２５      ガイド孔
２７      大径ガイド孔
２９      小径ガイド孔
３１      中間部
３５      シール部材
【図１】
2019100049.tif 000003
【図２】
2019100049.tif 000004
【図３】
2019100049.tif 000005
【図４】
2019100049.tif 000006
【図５】
2019100049.tif 000007
【図６】
2019100049.tif 000008
【図７】
2019100049.tif 000009
【図８】
2019100049.tif 000010
【図９】
2019100049.tif 000011
【図１０】
2019100049.tif 000012
【図１１】
2019100049.tif 000013
【図１２】
2019100049.tif 000014
【図１３】
2019100049.tif 000015